(57)【要約】【課題】  瞬時に異常状態を検知する。【解決手段】  所持者の身の回りの物品に装着した複数のＩＣタグ１０Ａ〜１０Ｃから識別信号を携帯電話２０側で受信し、所持者が離間して異常判定部２３が少なくとも一つの識別信号（情報）の未受信を判定すると異常通報信号を出力する。緊急サーバ３０側の緊急通報部３２はこの信号を受けると宛先記憶部３３の対応する宛先情報に基づいて緊急メッセージを緊急通報機器４０に送信する。【選択図】        図１
2007293705.tif 000002
【特許請求の範囲】
【請求項１】
所持者の身に付けている複数の物品にそれぞれ装着されて自己を識別するための識別信号を狭範囲で発信する複数の発信器と、
前記各発信器からの識別信号を受信する受信部と、
前記全ての発信器からの識別信号を受信したか否かを判定し、未受信の識別信号があると異常通知信号を出力する異常判定部と、
を含むことを特徴とする異常判定システム。
【請求項２】
携帯端末の所持者の異常を通報する緊急通報システムであって、
前記所持者の身に付けている複数の物品にそれぞれ装着されて自己を識別するための識別信号を狭範囲で発信する複数の発信器と、
前記携帯端末に設けられて前記各発信器からの識別信号を受信する受信部と、
前記全ての発信器からの識別信号を受信したか否かを判定し、未受信の識別信号があると前記所持者を判別可能な異常通知信号を出力する異常判定部と、
前記所持者の緊急通報機器の宛先情報が記憶されている記憶部と、
前記異常通知信号を受信すると前記記憶部の前記所持者の宛先情報を判定し、該宛先情報に基づいて前記緊急通報機器に緊急メッセージを送信する緊急通報部と、
を含むことを特徴とする緊急通報システム。
【請求項３】
前記携帯端末は前記異常判定部を含み、前記異常通知信号を緊急サーバに出力し、
該緊急サーバは、前記記憶部及び前記緊急通報部を有することを特徴とする請求項２記載の異常判定システム。
【請求項４】
前記携帯端末は受信した各識別信号を緊急サーバに出力する送信部を有し、
該緊急サーバは前記異常判定部、前記記憶部及び前記緊急通報部を有することを特徴とする請求項２記載の緊急通報システム。
【発明の詳細な説明】
【技術分野】
【０００１】
本発明は、異常判定システム及び緊急通報システムに関し、特に複数の発信器を組み合わせた異常判定システム及び緊急通報システムに関する。
【背景技術】
【０００２】
緊急通報システムとして、従来、下記特許文献１に記載のものが知られている。即ち、この緊急通報システムでは、緊急通報装置の位置情報取得部により携帯端末の現在位置情報を取得し、この現在位置がデータベースの登録行動範囲外の場合、緊急通報装置の確認部から携帯端末に確認信号を送出し、応答が無いと異常状態が発生したと判定する、構成を有している。
【特許文献１】特開２００２−９９９７１号公報
【発明の開示】
【発明が解決しようとする課題】
【０００３】
しかし、上記した緊急通報システムでは、登録行動範囲を基準として異常の有無を判定するので、登録行動範囲内で異常が生じた場合その発生を知ることができず、このため異常状態の検知が遅れてしまう虞れがあった。
【課題を解決するための手段】
【０００４】
本発明は、このような点を解決するため次の構成を備える。
【０００５】
〈構成１〉
本発明は、所持者の身に付けている複数の物品にそれぞれ装着されて自己を識別するための識別信号を狭範囲で発信する複数の発信器と、各発信器からの識別信号を受信する受信部と、全ての発信器からの識別信号を受信したか否かを判定し、未受信の識別信号があると異常通知信号を出力する異常判定部とを含むことを特徴とする。
【０００６】
〈構成２〉
他の発明は、携帯端末の所持者の異常を通報する緊急通報システムであって、所持者の身に付けている複数の物品にそれぞれ装着されて自己を識別するための識別信号を狭範囲で発信する複数の発信器と、携帯端末に設けられて各発信器からの識別信号を受信する受信部と、全ての発信器からの識別信号を受信したか否かを判定し、未受信の識別信号があると所持者を判定可能な異常通知信号を出力する異常判定部と、所持者の緊急通報機器の宛先情報が記憶されている記憶部と、異常通知信号を受信すると記憶部の所持者の宛先情報を判定し、この宛先情報に基づいて緊急通報機器に緊急通報メッセージを送信する緊急通報部とを含むことを特徴とする。
【発明の効果】
【０００７】
本願発明によれば、所持者の身に付けている物品に狭範囲に発信する複数の発信器を装着し、携帯端末等の受信部により発信信号を受信して受信不能の発信器を検知するようにしたので、異常状態の発生を瞬時に知ることができる。
【発明を実施するための最良の形態】
【０００８】
以下、本発明の実施形態を図面を参照して説明する。
【実施例１】
【０００９】
図１は本発明に係る緊急通報システムの構成図である。
【００１０】
このシステムは、複数のＩＣタグ１０Ａ，１０Ｂ，１０Ｃと、携帯電話２０とを備えている。これらのＩＣタグ１０Ａ〜１０Ｃは、携帯電話２０の所有者の子供等である所持者の身の回りの物品である靴、鞄、及び帽子にそれぞれ装着されている。
【００１１】
これらのＩＣタグ１０Ａ〜１０Ｃは、図２に示すように、アンテナ１１及び発信部１２と、ＣＰＵ１３及びメモリ１４を有している。メモリ１４には、自己に設定されている識別情報、例えば、「１０１０１０１０」が記録されている。そして、アンテナ１１を介して携帯電話２０側から起動信号を受けると、ＣＰＵ１３が動作を開始し、メモリ１４内の識別情報を発信部１２に供給するので、発信部により識別情報が識別信号に変換され、アンテナ１１から発信される。この場合、発信出力が小さいので、識別信号を受信するためには、例えば、７ｍ等の発信エリアＡに携帯電話２０が存在することが必要となる。
【００１２】
次に、本発明に係る携帯電話２０は、アンテナ２１と受信部２２、及び異常判定部２３とメモリ２４、送信部２５を備えている。これら各部はＣＰＵ２６により制御される。ここで、メモリ２４には、上記した各ＩＣタグ１０Ａ〜１０Ｃの識別情報が格納されている。即ち、例えば、初期設定時に所持者が「タグ登録」を選択すると、ＣＰＵ２６は図示しない発信部からアンテナ２１を介して起動信号を出力させる。これにより、各ＩＣタグ１０Ａ〜１０Ｃが識別信号を発信するので、受信部２２は各受信した識別信号から識別情報を取り出してＣＰＵ２６に供給し、ＣＰＵ２６が各識別情報をメモリ２４に格納する。
【００１３】
異常判定部２３は、受信部２２から全てのＩＣタグ１０Ａ〜１０Ｃの各識別情報を受けたか否かを上記メモリ２４の格納した識別情報との比較から判定し、未受信の識別情報が存在すると異常通知信号を出力する。この異常通知信号には、次に説明するサーバを宛先とするサーバアドレスと、所持者を判定する特定情報、例えば、携帯電話２０の電話番号とが付加され、送信部２５によりアンテナ２１を介して発信される。
【００１４】
発信された異常通知信号は基地局２７及びインターネット２８を介して緊急サーバ３０に送出される。
【００１５】
緊急サーバ３０は、受信部３１、緊急通報部３２、宛先記憶部３３、及びＣＰＵ３４を備えている。宛先記憶部３３には、所持者の特定情報に対応させて緊急を知らせるための機器４０の宛先情報が格納されている。即ち、緊急通報すべき機器４０が、他の携帯電話であるとその電話番号、パーソナルコンピュータであるとメールアドレスが格納される。
【００１６】
緊急通報部３２は、受信した異常通知信号から所持者の特定情報を抽出し、宛先記憶部３３から宛先情報を特定し、この宛先情報に基づいて所定の緊急メッセージを緊急通報機器４０へ送信する。
【００１７】
次に、本発明に係る緊急通報システムの動作を説明する。
【００１８】
携帯電話２０において、ＣＰＵ２６は、図示しないタイマから、例えば、２分毎に起動指示を受けると、発信部を作動させてアンテナ２１を介して起動信号を出力する。
【００１９】
各ＩＣタグ１０Ａ〜１０Ｃは起動信号を受けると、上記識別信号を発信する。全てのＩＣタグの発信エリアＡ内に携帯電話２０が存在すると、受信部２２は全てのＩＣタグ１０Ａ〜１０Ｃから識別信号を受信するので、各識別情報を取り込み、例えば、一時記憶部に格納する。一方、ＣＰＵ２６により起動指示を受けているので、異常判定部２３は一時記憶部の各受信した識別情報がメモリ２４の全ての識別情報に対応しているか否かを判定する。この場合、全ての識別情報を受信しているので、正常状態と判定し、処理を終了する。
【００２０】
これに対し、所持者（子供）に異常が発生し、携帯電話２０に対しいずれかのＩＣタグ１０Ａ〜１０Ｃが離間すると、携帯電話２０側ではエリアＡの範囲外に存在するため、例えば、離間したＩＣタグ１０Ａからの識別信号を受信することが不能となってしまう。従って、異常判定部２３は、メモリ２４の各識別情報との比較からＩＣタグ１０Ａの識別情報が未受信であると判定するので、サーバアドレスと所持者の特定情報を付加した異常通知信号を生成し、送信部２５を介して該信号を送信させる。
【００２１】
緊急サーバ３０側の受信部３１には、基地局２７及びネットワーク２８を介して異常通知信号を受信するので、ＣＰＵ３４の制御で受信した異常通知信号を緊急通報部３２に供給する。
【００２２】
緊急通報部３２は、異常通知信号から所持者の特定情報を抽出し、宛先記憶部の対応する宛先情報で示す緊急通報機器４０へ緊急メッセージ、例えば、「…君に異常が発生しました。」等のメッセージをメール又は音声で通報する。
【００２３】
本実施例によれば、少なくとも一つのＩＣタグが離間すると、携帯電話２０から異常通知信号が出力され、緊急メッセージが緊急通報機器４０に送信されるので、所持者に異常状態が発生したことを瞬時に、しかも確実に保護者等に知らせることができる。
【００２４】
上記実施例１において、携帯電話２０に受信した識別情報を単に緊急サーバ３０に向けて送信する送信部２５を設け、緊急サーバ３０側に異常判定部２３及びメモリ２４を緊急通報部３２等と共に設けるようにしてもよい。
【００２５】
＜変形例＞
上記実施例１において、ＩＣタグ１０Ａ（１０Ｂ、１０Ｃ）に代えて図３に示す無線モジュールを用いてもよい。即ち、この無線モジュール６０は、近距離無線方式（Ｚｉｇ  Ｂｅｅ（商標））を採用した構成を有し、ＣＰＵ６１、メモリ６２、送受信バッファ６３、発信部６４、受信部６５及びアンテナ６６を備えている。メモリ６２には自己の識別情報が格納され、この識別情報が発信部６４により識別信号に変換され、アンテナ６６から発信される。そして、このＺｉｇ  Ｂｅｅ方式では、識別信号は２、４ＧＨｚの周波数帯域で１０〜７５ｍの通信距離（発信エリア）を有して発信出力される。
【００２６】
一方、携帯電話２０（図１参照）では、Ｚｉｇ  Ｂｅｅ方式と組み合わされる場合、アンテナ２１により受信した信号に対し受信部２２は２、４ＧＨｚ帯の識別信号を抽出する機能を付与されている。
【００２７】
従って、いずれかの無線モジュール６０に対し携帯電話２０がエリア外に位置すると、識別信号が未受信となるので、実施例１と同様に異常通知信号を緊急サーバ３０へ供給することができる。
【実施例２】
【００２８】
図４は本発明の実施例２に係る緊急通報システムの構成図である。
【００２９】
このシステムは、複数の無線機７０Ａ、７０Ｂ、７０Ｃを備えている。これらの無線機は、同様に所有者の子供等である所持者の身の回りの物品である靴、鞄及び帽子にそれぞれ装着されている。
【００３０】
無線機７０ＡはＺｉｇ  Ｂｅｅ方式の無線モジュール６０と、異常判定部２３Ａ及び送信部２５Ａとを有している。無線モジュール６０は図３に示すモジュールと同一構成を有しているが、本実施例ではメモリ６２Ａに、自己の識別情報、通信相手である無線機７０Ｂ、７０Ｃの各識別情報、緊急サーバ３０を宛先とするサーバアドレス、所持者に付与した特定情報がそれぞれ格納されている。
【００３１】
異常判定部２３Ａは、無線機７０Ｂ、７０Ｃの各識別情報を受けたか否かをメモリ６２Ａに格納した識別情報との比較から判定し、未受信の識別情報が存在すると異常通知信号を送信部２５Ａに出力する。この異常通知信号には、メモリ６２Ａに格納されているサーバアドレス、特定情報が含まれている。
【００３２】
送信部２５Ａは、基地局２７で受信可能な通常の無線通信方式が採用され、入力された異常通知信号をアンテナ６６を介して発信する。
他の無線機７０Ｂ、７０Ｃも上記無線機７０Ａと全く同一の構成を有している。
【００３３】
次に、本発明に係る緊急通報システムの動作を説明する。
各無線機７０Ａ〜７０Ｃの無線モジュール６０のＣＰＵ６１は、図示しないタイマを介して周期的にメモリ６２Ａから識別情報を送受信バッファ６３に出力させると共に、発信部６４を動作させてバッファ６３の識別情報を識別信号としてアンテナ６６から発信させる。これにより、各無線機７０Ａ〜７０Ｃは、近距離エリア（１０〜７５ｍ）内で他の無線機が受信可能な識別信号を出力することになる。
【００３４】
一方、各無線機７０Ａ〜７０Ｃにおいて、ＣＰＵ６１は受信部６５を動作させてアンテナ６６を介して他の無線機からの識別信号を受信させ、送受信バッファ６３に格納させると共に、異常判定部２３Ａを動作させる。
【００３５】
例えば、無線機７０Ａでは、異常判定部２３Ａは受信した識別情報（信号）とメモリ６２Ａの他の無線機７０Ｂ、７０Ｃの識別情報とを比較し、各無線機７０Ｂ、７０Ｃの両識別情報を受信している場合には、正常状態と判定し、処理を終了する。
【００３６】
これに対し、所持者に異常が発生し、無線機７０Ａと無線機７０Ｂ、７０Ｃとが離間し、通信距離（１０〜７５ｍ）が確保されなくなると、無線機７０Ａは無線機７０Ｂ、７０Ｃの両識別信号の受信が不能となり、無線機７０Ｂ、７０Ｃは無線機７０Ａの識別信号の受信が不能となる。
【００３７】
従って、各無線機７０Ａ、７０Ｂ、７０Ｃにおいて、異常判定部２３Ａは、メモリ２４Ａの各識別情報との比較から、識別情報の未受信を判定するので、送信部２５Ａが上記した異常通知信号を発信する。
【００３８】
よって、緊急サーバ３０側では、上記したと同様に緊急通報機器４０に緊急メッセージが送信される。
【００３９】
本実施例によれば、全ての無線機から異常通知信号を出力させるようにしたので、例えば、１つの無線機が破壊されたり故障しても確実に緊急メッセージを送信することができる。
尚、１つの無線機７０Ａにのみ異常判定部２３Ａ、送信部２５Ａを設けるようにしてもよい。
また、無線機７０Ａ〜７０Ｃを、無線モジュール６０に代えて図１で示すＩＣタグ１０を組み合わせた構成にしてもよい。
【実施例３】
【００４０】
本実施例では本発明に係る異常判定システムを通用したコンピュータのセキュリティシステムが示されている。
【００４１】
即ち、図５において、ユーザ（所持者）の身に付けている社員カード及び携帯電話にＩＣタグ１０Ｄ、１０Ｅがそれぞれ装着されている。これらＩＣタグは図２に示す構成、機能を有している。
【００４２】
一方、パーソナルコンピュータ５０は、アンテナ２１、受信部２２、異常判定部２３、メモリ２４を有し、これらは実施例１に示すと同一機能を有している。
【００４３】
また、パーソナルコンピュータ５０は、ロック指示／解除部５１及び全体を制御動作させるＣＰＵ５２を有している。ロック指示／解除部５１は異常判定部２３より異常通知信号を受けるとロック指示信号をＣＰＵ５２に出力する。ＣＰＵ５２はこの信号を受けると動作を停止するので、コンピュータがロック状態となる。
【００４４】
次に、本発明のセキュリティシステムの動作を説明する。
【００４５】
パーソナルコンピュータにおいて、ＣＰＵ５２が例えば、２分毎に発信部を作動させ、アンテナ２１から起動信号を出力すると、ＩＣタグ１０Ｄ、１０Ｅは識別信号を発信する。
【００４６】
このＩＣタグ１０Ｄ、１０Ｅの発信エリア内にパーソナルコンピュータ５０が存在すると、受信部２２を介して各識別信号を受信するので、異常判定部２３はメモリ２４に設定した登録識別情報と受信した識別情報とを比較し、両者が対応しているか否かを判定する。
【００４７】
二つの識別情報を受信している場合、異常判定部２３は正常と判定し、正常信号を出力する。これによりロック指示／解除部５１はロック解除信号をＣＰＵ５２に出力するので、ＣＰＵ５２が動作を開始する。つまり、ロックが解除される。
【００４８】
これに対し、ユーザがパーソナルコンピュータ５０から離間すると、例えば、社員カードのＩＣタグ１０Ｄからの識別信号の受信が不能となるので、異常判定部２３が異常通知信号を出力する。従って、ロック指示／解除部５１はロック指示信号を出力するので、ＣＰＵ５２が動作を停止し、コンピュータ５０がロックされる。
【００４９】
よって、第３者によってコンピュータ５０が操作されて不正にアクセスされるのを防止することができる。また、ＩＤや暗証番号に代えてＩＣタグ１０Ｄ、１０Ｅを身に付けることでロック指示、解除に利用するので、安全性が向上する。
【図面の簡単な説明】
【００５０】
【図１】本発明に係る緊急通報システムの全体構成図である。
【図２】本発明の実施例１に係るＩＣタグの構成図である。
【図３】本発明の実施例１の変形例に係る無線モジュールの構成図である。
【図４】本発明の実施例２に係る緊急通報システムの全体構成図である。
【図５】本発明に係るコンピュータのセキュリティシステムの構成図である。
【符号の説明】
【００５１】
１０Ａ〜１０Ｅ    ＩＣタグ
２０    携帯電話
２３    異常判定部
３０    緊急サーバ
３２    緊急通報部
３３    宛先記憶部
４０    緊急通報機器
５１    ロック指示／解除部
５２    ＣＰＵ
【図１】
2007293705.tif 000003
【図２】
2007293705.tif 000004
【図３】
2007293705.tif 000005
【図４】
2007293705.tif 000006
【図５】
2007293705.tif 000007